(57)【要約】【課題】本発明は、使用者の使い勝手を向上させた表示装置用回転台の提供を目的とする。【解決手段】本発明に係る表示装置用回転台１２は、台座部１と、表示装置１４を取り付け可能な取付部１０と、取付部１０を台座部１に対して回動する回動機構６と、取付部１０の回動量を検出する検知部と、を備え、回動機構６の動作は、外部装置からの信号に基づいて制御されることを特徴とする。回動機構６は、歯車９ｂを備え、検知部は、歯車９ｂに固定された円板１５を備え、円板１５には放射状に複数のスリット１５ａが設けられ、検知部は、スリット１５ａを検出するセンサ１６をさらに備える。【選択図】図５
2014224883.tif 000002
【特許請求の範囲】
【請求項１】
台座部と、
表示装置を取り付け可能な取付部と、
前記取付部を前記台座部に対して回動する回動機構と、
前記取付部の回動量を検出する検知部と、
を備え、
前記回動機構の動作は、外部装置からの信号に基づいて制御されることを特徴とする、
表示装置用回転台。
【請求項２】
前記回動機構は、
歯車を備え、
前記検知部は、
前記歯車に固定された円板を備え、
前記円板には放射状に複数のスリットが設けられ、
前記検知部は、
前記スリットを検出するセンサをさらに備える、
請求項１に記載の表示装置用回転台。
【請求項３】
前記検知部が検出した前記回動量に基づいた信号を外部装置へ出力することを特徴とする、
請求項１または請求項２に記載の表示装置用回転台。
【請求項４】
リミットスイッチをさらに備え、
前記リミットスイッチは、前記取付部が前記台座部に対して所定の位置に来たときにオン／オフが切り替わることを特徴とする、
請求項１〜３のいずれかに記載の表示装置用回転台。
【請求項５】
前記リミットスイッチのオン／オフが切り替わる前記所定の位置は、前記取付部が前記台座部の正面方向を向く位置である、
請求項４に記載の表示装置用回転台。
【請求項６】
前記リミットスイッチのオン／オフが切り替わる前記所定の位置は、前記取付部が回動可能な範囲の端である、
請求項４に記載の表示装置用回転台。
【請求項７】
前記信号は、前記外部装置であるリモコン装置との間で授受され、
前記リモコン装置は前記回動量を記憶することを特徴とする、
請求項３に記載の表示装置用回転台。
【発明の詳細な説明】
【技術分野】
【０００１】
本発明は表示装置用回転台に関し、特に、取り付けられた液晶表示装置等の向きを電動で変更する表示装置用回転台に関する。
【背景技術】
【０００２】
使用者の操作により、画面の向きを電動で変更する表示装置、もしくは取り付けられた表示装置の向きを電動で変更する表示装置用回転台が知られている。従来、使用者は、画面が所望の位置に来るまでリモコンの所定のボタンを押し続けることにより、画面の向きの変更を行っていた。
【０００３】
表示装置用回転台において、一般に回動機構は、モータ、モータの動力を伝える一連の歯車、歯車と連動して回動する表示装置取り付け部などから構成される（例えば特許文献１参照）。回動機構の動作は、リモコン装置からの信号により制御される。
【先行技術文献】
【特許文献】
【０００４】
【特許文献１】特開２０１０−２４３８７１号公報
【発明の概要】
【発明が解決しようとする課題】
【０００５】
従来の技術では、使用者は、表示装置が所望の位置に到達するまでリモコン装置の操作をし続けなければならず、煩わしいという問題点があった。
【０００６】
本発明は以上のような課題を解決するためになされたものであり、使用者の使い勝手を向上させた表示装置用回転台の提供を目的とする。
【課題を解決するための手段】
【０００７】
本発明に係る表示装置用回転台は、台座部と、表示装置を取り付け可能な取付部と、取付部を前記台座部に対して回動する回動機構と、取付部の回動量を検知する検知部と、を備え、回動機構の動作は、外部装置からの信号に基づいて制御されることを特徴とする。
【発明の効果】
【０００８】
本発明によれば、検知部が取付部の回動量を検出するため、回動量を検出して外部装置に出力する、外部装置から与えられた回動量だけ取付部を回動させる、などの動作が可能となる。よって、例えば、回動量を登録番号とともに外部のリモコン装置に予め登録しておけば、使用者が登録番号を選択するだけで、登録された回動量だけ取付部を回動させることが可能であり、利便性が向上する。
【図面の簡単な説明】
【０００９】
【図１】実施の形態１に係る表示装置用回転台の斜視図である。
【図２】実施の形態１に係る表示装置用回転台の分解斜視図である。
【図３】滑りローラーを示す図である。
【図４】実施の形態１に係る表示装置用回転台、表示装置およびリモコン装置の模式図である。
【図５】実施の形態１に係る表示装置用回転台の回動機構の斜視図である。
【図６】実施の形態１に係る意匠カバーの裏面の斜視図である。
【図７】実施の形態１に係る台座部と回動機構の斜視図である。
【図８】実施の形態１に係るリミットスイッチの動作を説明する図である。
【図９】実施の形態１に係る表示装置用回転台の回転位置登録動作を示すフローチャートである。
【図１０】実施の形態２に係る台座部と回動機構の斜視図である。
【発明を実施するための形態】
【００１０】
＜実施の形態１＞
＜構成＞
図１に本実施の形態における表示装置用回転台１２の斜視図を示す。また、図２に表示装置用回転台１２の分解斜視図を示す。図１および図２に示すように、表示装置用回転台１２において、台座部１上には、台座部１に対して回動する回動機構６が配置される。回動機構６には、円盤状のターンテーブル５が固定される。さらに、ターンテーブル５の接合部５ａには、表示装置を取り付け可能な取付部１０が固定される。また、ターンテーブル５と取付部１０の間には、ターンテーブル５および回動機構６を覆い、台座部１と嵌合する意匠カバー１１が配置される。台座部１には、ターンテーブル５の回転軸と同心円上に、ターンテーブル５の摺動する軌道１ａが設けられる。軌道１ａには複数の溝１ｂが設けられ、溝１ｂには滑りローラー４（図３）が埋め込まれている。図３に示すように、滑りローラー４は、ローラー４ａとローラー４ａに挿入された金属シャフト４ｂから構成される。ターンテーブル５は、滑りローラー４によって台座部１の起動１ａを滑らかに摺動する。
【００１１】
表示装置用回転台１２の内部もしくは外部には、外部のリモコン装置１３からの無線信号を受信する受信部（図示せず）が設けられる。また、表示装置用回転台１２の内部もしくは外部には、外部のリモコン装置１３に対して無線信号を送信する送信部（図示せず）が設けられる。また、表示装置用回転台１２の内部もしくは外部には制御部（図示せず）が設けられる。制御部は、受信部が受信した無線信号に基づいて、回動機構６の動作を制御する。図４に示す様に、本実施の形態では、受信部と送信部を兼ねた送受信部１４ａ、および制御部は、表示装置用回転台１２に取り付けられた表示装置１４に備わっているとする。
【００１２】
図５に、回動機構６の斜視図を示す。回動機構６において、ホルダー７上には、動力源としてのモータ８と、モータ８の回転力を伝達するねじ歯車９ｃ、歯車９ａ，９ｂが配置されている。図６に示すように、意匠カバー１１の裏側には歯形１１ａが設けられており、回動機構６の歯車９ａと意匠カバー１１裏側の歯形１１ａとが噛み合っている。また、ホルダー７の裏面には、回転中心穴（図示せず）が設けられ、台座部１のダボ２と嵌合している。
【００１３】
モータ８によりねじ歯車９ｃ、歯車９ｂを介して歯車９ａが回転すると、歯車９ａは意匠カバー１１の裏側に固定された歯形１１ａに動力を伝達する。すると、回動機構６は、台座部１のダボ２を中心として、台座部１に対して回動する。つまり、回動機構６にターンテーブル５を介して固定された取付部１０は、台座部１のダボ２を中心として台座部１に対して回動する。
【００１４】
本実施の形態における表示装置用回転台１２は、取付部１０の回動量を検出する検知部をさらに備える。図５に示すように、検知部は、歯車９ｂに固定された円板１５と、センサ１６を備える。円板１５には放射状に複数のスリット１５ａが設けられている。センサ１６は、例えば赤外線の発光部と受光部からなる光学センサであり、スリット１５ａの有無を検出する。センサ１６は、スリット１５ａの有無を示す信号を、表示装置用回転台１２内部もしくは外部に設けられた制御部に出力する。
【００１５】
センサ１６がスリット１５ａの有無を検出することにより、センサ１６が検出したスリット１５ａの個数がわかる。それにより歯車９ｂの回転数がわかる。図５においては、円板１５には８個のスリット１５ａが設けられているため、例えば、検出したスリット１５ａの個数が９個の場合、歯車９ｂが１回転したことになる。さらに、歯車９ｂの回転数と取付部１０の回動量とは一定の対応関係にあるため、歯車９ｂの回転数から取付部１０の回動量を得ることが可能である。つまり、検知部により、取付部１０の回動量を検出することが可能である。なお、本明細書において、取付部１０の回動量とは、取付部１０が回動する角度の大きさのことである。
【００１６】
また、図５に示す様に、ホルダー７にはリミットスイッチ１７が配置されている。リミットスイッチ１７の横にはレバー１８が配置され、レバー１８がリミットスイッチ１７に押し付けられると、リミットスイッチ１７がオンされる。
【００１７】
図７に示す様に、台座部１にはリミットスイッチ１７をオンするための段差部３が設けられている。図６において、回動機構６は、表示装置用回転台１２の正面から見て左側の回動範囲２０ａ、右側の回動範囲２０ｂにおいて回動が可能であるとする。つまり、取付部１０は、回動範囲２０ａ，２０ｂの範囲において回動する。段差部３は回動範囲２０ａと回動範囲２０ｂの境（即ち台座部１の正面）においてリミットスイッチ１７のオン／オフが切り替わるように配置される。
【００１８】
図８を用いて、段差部３の配置とリミットスイッチ１７の動作を説明する。図８（ａ）の様に、リミットスイッチ１７が回動範囲２０ａにある場合は、レバー１８はリミットスイッチ１７から離れているため、リミットスイッチ１７はオフである。一方、図８（ｂ）の様に、リミットスイッチ１７が回動範囲２０ｂにある場合は、段差部３によりレバー１８がリミットスイッチ１７に押し付けられるため、リミットスイッチ１７はオンされる。
【００１９】
本実施の形態では、段差部３を表示装置用回転台１２の正面から見て右側の回動範囲２０ｂに設ける。よって、リミットスイッチ１７のオン／オフが切り替わる位置は、表示装置用回転台１２の正面位置である。リミットスイッチ１７のオン／オフ信号は、表示装置用回転台１２内部もしくは外部に設けられた制御部に出力される。
【００２０】
＜回動量の登録動作＞
図９のフローチャートを用いて、リモコン装置１３への回動量の登録動作について説明する。まず、使用者は、リモコン装置１３を操作して、所望の位置に到達するまで表示装置１４を回動させてから、登録キーを押す。すると、リモコン装置１３から登録コマンドが出力される（ステップＳ１）。すると、送受信部１４ａは登録コマンドを受信する（ステップＳ２）。
【００２１】
送受信部１４ａが登録コマンドを受信すると、制御部は、リミットスイッチ１７のオン／オフが切り替わるまで、モータ８を動作させる。制御部は、リミットスイッチ１７のオン／オフが切り替わるまでにセンサ１６が検出したスリット１５ａの個数を取得する。制御部には、スリット１５ａの個数と歯車９ｂの回転数の関係および歯車９ｂの回転数と取付部１０の回動量の関係が予め記憶されているとする。制御部は、取得したスリット１５ａの個数から、歯車９ｂの回転数を得る。また、歯車９ｂの回転数と取付部１０の回動量の対応関係から、取付部１０の回動量を得てもよい。
【００２２】
次に、ステップＳ３において、制御部は取付部１０の回動量として、送受信部１４ａから歯車９ｂの回転数をリモコン装置１３に送信する。リモコン装置１３は、回動量を受信すると（ステップＳ４）、登録番号に関連付けて、内蔵する記憶部に受信した回動量を記憶する。つまり、リモコン装置１３に回動量が登録される（ステップＳ５）。
【００２３】
なお、登録する回動量は、表示装置用回転台１２の正面から見て、左右どちらの方向への回動量でも登録可能である。また、複数の回動量を登録可能である。
【００２４】
使用者が、リモコン装置１３に登録してある登録番号を選択すると、リモコン装置１３は登録番号に関連付けて登録してある回動量を送信する。送受信部１４ａが回動量を受信すると、制御部は、回動角度の起点（リミットスイッチ１７のオン／オフが切り替わる位置）から、受信した回動量に対応するスリット１５ａの個数を検出するまでモータ８を動作させる。結果として、取付部１０は、回動角度の起点から、登録された回動量だけ回動する。
【００２５】
以上で述べた様に、使用者は、表示装置用回転台１２を用いて、リモコン装置１３に対して取付部１０の回動量を登録することが可能である。回動量を登録することで、使用者は次回から登録番号を選択するだけで、登録された回動量だけ取付部１０を回動させることが可能である。
【００２６】
＜効果＞
本実施の形態における表示装置用回転台１２は、台座部１と、表示装置１４を取り付け可能な取付部１０と、取付部１０を台座部１に対して回動する回動機構６と、取付部１０の回動量を検出する検知部と、を備え、回動機構６の動作は、外部装置からの信号に基づいて制御されることを特徴とする。
【００２７】
従って、検知部が取付部１０の回動量を検出するため、回動量を検出して外部装置に出力する、外部装置から与えられた回動量だけ取付部１０を回動させる、などの動作が可能となる。よって、例えば、回動量を登録番号とともにリモコン装置１３に予め登録しておけば、使用者が登録番号を選択するだけで、登録された回動量だけ取付部１０を回動させることが可能であり、利便性が向上する。
【００２８】
また、本実施の形態における表示装置用回転台１２において、回動機構６は、歯車９ｂを備え、検知部は、歯車９ｂに固定された円板１５を備え、円板１５には放射状に複数のスリット１５ａが設けられ、検知部は、スリット１５ａを検出するセンサをさらに備える。
【００２９】
従って、スリット１５ａを検出し、検出したスリット１５ａの個数を数えることで、歯車９ｂの回転数を得ることが可能である。歯車９ｂの回転数と取付部１０の回動量との間には一定の関係があるため、検知部により、取付部１０の回動量を得ることが可能になる。
【００３０】
また、本実施の形態における表示装置用回転台１２は、検知部が検出した回動量に基づいた信号を外部装置へ出力することを特徴とする。従って、回動量を、例えば外部のリモコン装置１３に登録することが可能である。
【００３１】
また、本実施の形態における表示装置用回転台１２は、リミットスイッチ１７をさらに備え、リミットスイッチ１７は、取付部１０が台座部１に対して所定の位置に来たときにオン／オフが切り替わることを特徴とする。
【００３２】
従って、例えば、所定の位置を、取付部１０が台座部１の正面方向を向く位置とすることにより、台座部１の正面方向を起点として任意の回動量だけ取付部１０を回動させることが可能となる。
【００３３】
また、本実施の形態における表示装置用回転台１２において、リミットスイッチ１７のオン／オフが切り替わる所定の位置は、取付部１０が台座部１の正面方向を向く位置である。
【００３４】
従って、所定の位置を、取付部１０が台座部１の正面方向を向く位置とすることにより、台座部１の正面方向を起点として任意の回動量だけ取付部１０を回動させることが可能となる。
【００３５】
また、本実施の形態における表示装置用回転台１２において、信号は、前記外部装置であるリモコン装置１３との間で授受され、リモコン装置１３は回動量を記憶することを特徴とする。
【００３６】
従って、回動量をリモコン装置１３に送信し、回動量を登録番号とともにリモコン装置１３に記憶させておくことにより、使用者は登録番号を選択するだけで、リモコン装置１３に記憶された回動量だけ取付部１０を回動させることが可能となる。よって、利便性が向上する。
【００３７】
＜実施の形態２＞
実施の形態１では、取付部１０が台座部１の正面方向を向く位置に来たときにリミットスイッチ１７のオン／オフが切り替わるように段差部３を設けた。一方、本実施の形態では、取付部１０が回動可能な範囲の端に来たときにリミットスイッチ１７のオン／オフが切り替わるように段差部３を設ける。本実施の形態における表示装置用回転台において、台座部１における段差部３の位置以外は、実施の形態１と同じため、説明を省略する。
【００３８】
図１０に、本実施の形態における台座部１と回動機構６の斜視図を示す。図１０において示した回動範囲２０ｃが、回動機構６が回動可能な範囲（即ち取付部１０が回動可能な範囲）であるとする。段差部３は、例えば表示装置用回転台に正面に向かって回動範囲２０ｃの右端に設けられる。
【００３９】
＜効果＞
本実施の形態における表示装置用回転台において、リミットスイッチ１７のオン／オフが切り替わる所定の位置は、取付部１０が回動可能な範囲の端である。
【００４０】
従って、回動範囲２０ｃの端に段差部３を設けることにより、回動可能な範囲の端を起点として任意の回動量だけ取付部１０を回動させることが可能となる。
【００４１】
なお、本発明は、その発明の範囲内において、各実施の形態を自由に組み合わせたり、各実施の形態を適宜、変形、省略することが可能である。
【符号の説明】
【００４２】
１  台座部、１ａ  軌道、１ｂ  溝、２  ダボ、３  段差部、４  滑りローラー、４ａ  ローラー、４ｂ  金属シャフト、５  ターンテーブル、５ａ  接合部、６  回動機構、７  ホルダー、８  モータ、９ａ，９ｂ  歯車、９ｃ  ねじ歯車、１０  取付部、１１  意匠カバー、１１ａ  歯形、１２  表示装置用回転台、１３  リモコン装置、１４  表示装置、１４ａ  送受信部、１５  円板、１５ａ  スリット、１６  センサ、１７  リミットスイッチ、１８  レバー。
【図１】
2014224883.tif 000003
【図２】
2014224883.tif 000004
【図３】
2014224883.tif 000005
【図４】
2014224883.tif 000006
【図５】
2014224883.tif 000007
【図６】
2014224883.tif 000008
【図７】
2014224883.tif 000009
【図８】
2014224883.tif 000010
【図９】
2014224883.tif 000011
【図１０】
2014224883.tif 000012